(57)【要約】      （修正有）【課題】様々な対象に展開できる移動体遠隔監視システムの処理方法およびビジネスモデルを提供する。【解決手段】移動体の携帯する移動体確認機が一定エリアを越えた場合に前記移動体の位置情報等を前記移動体確認機から遠隔位置にある移動体監視者に伝える移動体遠隔監視システムであって、１または２以上の固定機と前記移動体確認機と監視サーバーと移動体監視者機と移動体保護者機を含む。【選択図】図１
2019180011.tif 000002
【特許請求の範囲】
【請求項１】
移動体の携帯する移動体確認機が一定エリアを越えた場合に前記移動体の位置情報等を前記移動体確認機から遠隔位置にある移動体監視者に伝える移動体遠隔監視システムにおける処理方法であって、
前記移動体遠隔監視システムには、固定機と前記移動体確認機と監視サーバーと移動体監視者機と移動体保護者機とを含み、前記固定機には近距離無線発信部を含み、前記移動体確認機には近距離無線受信部とＧＰＳ受信部と移動体通信部と、前記近距離無線受信部と前記ＧＰＳ受信部と前記移動体通信部とを制御する確認機制御部とを含み、前記監視サーバーには対移動体通信部とサーバーインターネット回線ＩＦ部と、前記対移動体通信部と前記サーバーインターネット回線ＩＦ部とを制御するサーバー制御部とを含み、前記移動体監視者機には監視者機インターネット回線ＩＦ部と監視者機モニター部とユーザーＩＦ部と、前記監視者機インターネット回線ＩＦ部と前記監視者機モニター部と前記ユーザーＩＦ部とを制御する監視者機制御部とを含み、前記移動体保護者機には保護者機インターネット回線ＩＦ部と保護者機モニター部と、前記保護者機インターネット回線ＩＦ部と前記保護者機モニター部とを制御する保護者機制御部とを含み、
前記移動体確認機の前記確認機制御部により、１または２以上の前記固定器からの近距離無線を少なくとも１以上前記近距離無線受信部が受信している間は前記ＧＰＳ受信部を停止し所定の間隔で確認情報を前記移動体通信部から発信し、受信していないときには前記ＧＰＳ受信部を起動しＧＰＳ信号を前記移動体通信部から発信することと、
前記監視サーバーの前記サーバー制御部により、前記対移動体通信部から前記ＧＰＳ信号を受信して得た移動体位置情報が、予め設定されたアラート基準に基づきアラート状態と判断した場合には、前記移動体位置情報を前記サーバーインターネット回線ＩＦ部から、予め設定された送信対象基準に基づいて前記移動体監視者機または／かつ前記移動体保護者機へ送信することと、
前記移動体監視者機の前記監視者機制御部により、送信対象基準に基づいて前記監視者機インターネット回線ＩＦ部より受信した前記移動体位置情報を前記監視者機モニター部に表示することと、
前記移動体保護者機の前記保護者機制御部により、前記保護者機インターネット回線ＩＦ部より受信した前記移動体位置情報を前記保護者機モニター部に表示することと、
を備えたことを特徴とする処理方法。
【請求項２】
請求項１に記載の移動体遠隔監視システムにおける処理方法であって、さらに、
前記移動体監視者機の前記監視者機制御部により、前記ユーザーＩＦ部より入力された前記アラート基準と前記送信対象基準を前記監視者機インターネット回線ＩＦ部から前記監視サーバーへ送信し、かつ、前記送信対象基準を前記監視者機制御部に設定することと、
前記監視サーバーの前記サーバー制御部により、前記サーバーインターネット回線ＩＦ部より受信した前記アラート基準と前記送信対象基準を前記サーバー制御部に設定することと、
を備えたことを特徴とする処理方法。
【請求項３】
請求項１または請求項２に記載の移動体遠隔監視システムにおける処理方法であって、
前記監視サーバーの前記サーバー制御部により前記移動体位置情報を各機へ送信する際、送信対象が移動体監視者機のみの場合には保護要請の問い合せを併せて行い、所定時間内に前記保護要請の問い合わせに対する応答があった場合には、前記移動体位置情報をサーバーインターネット回線ＩＦ部から前記移動体保護者機へ送信することと、
を備えたことを特徴とする処理方法。
【請求項４】
請求項１または請求項２に記載の移動体遠隔監視システムにおける処理方法であって、さらに、
前記監視サーバーの前記サーバー制御部により、前記確認情報と前記ＧＰＳ信号がアブノーマル基準に基づきアブノーマル状態と判断した場合には、前記移動体通信部の電話番号を前記対移動体通信部から発呼し、その後所定時間内に前記対移動体通信部が前記発呼に対する応答を受信したとき／しないときに応じたアブノーマル情報（アリア外ＧＰＳ圏外アラート情報、電源ＯＦＦアラート情報）を、前記サーバーインターネット回線ＩＦ部より前記移動体監視者機、または／かつ、前記移動体保護者機へ送信することと、
前記移動体監視者機の前記監視者機制御部により、前記監視者機インターネット回線ＩＦ部より受信した前記アブノーマル情報を前記監視者機モニター部に表示することと、
前記移動体保護者機の前記保護者機制御部により、前記保護者機インターネット回線ＩＦ部より受信した前記アブノーマル情報を前記保護者機モニター部に表示することと、
を備えたことを特徴とする処理方法。
【請求項５】
請求項１から請求項４に記載の移動体遠隔監視システムにおける処理方法であって、さらに、
前記移動体確認機には前記確認機制御部が制御する、加速度センサーと温度センサーと脈拍センサーとを含み、
前記移動体確認機の前記確認機制御部により、加速度センサーと温度センサーと脈拍センサーからの生体情報を、所定の間隔で前記移動体通信部から発信することと、
前記監視サーバーの前記サーバー制御部により、前記対移動体通信部から受信した前記生体情報が、予め設定された生体アラート基準に基づき生体アラート状態と判断した場合には生体アラート情報を、前記サーバーインターネット回線ＩＦ部から前記移動体監視者機または／かつ前記移動体保護者機へ送信することと、
前記移動体監視者機の前記監視者機制御部により、前記監視者機インターネット回線ＩＦ部より受信した前記生体アラート情報を前記監視者機モニター部に表示することと、
前記移動体保護者機の前記保護者機制御部により、前記保護者機インターネット回線ＩＦ部より受信した前記生体アラート情報を前記保護者機モニター部に表示することと、
を備えたことを特徴とする処理方法。
【請求項６】
請求項１から請求項５に記載の移動体遠隔監視システムにおける処理方法であって、さらに、
前記移動体監視者機の前記監視者機制御部により、前記ユーザーＩＦ部より入力された、前記生体アラート基準を前記監視者機インターネット回線ＩＦ部から前記監視サーバーへ送信することと、
前記監視サーバーの前記サーバー制御部により、前記サーバーインターネット回線ＩＦ部より受信した前記生体アラート基準を前記サーバー制御部に設定することと、
を備えたことを特徴とする処理方法。
【請求項７】
請求項１から請求項６に記載の移動体遠隔監視システムにおける処理方法によるビジネスモデル。
【発明の詳細な説明】
【技術分野】
【０００１】
本発明は、ＧＰＳを用いて移動体の位置を遠隔で監視するシステムの処理方法とビジネスモデルに関する。
【背景技術】
【０００２】
ＧＰＳを用いた移動体遠隔監視システムとしては、短距離無線通信とＧＰＳ信号受信を組合せ、条件に応じてＧＰＳ信号受信をＯＮ／ＯＦＦするなどによって移動体が携帯する機器のバッテリーを長持ちさせることで実使用に耐えうるものとしている（例えば、特許文献１、特許文献２参照）。
【先行技術文献】
【特許文献】
【０００３】
【特許文献１】特開平１１−２７７３６号公報
【特許文献２】特開２０１８−１４０１８号公報
【発明の概要】
【発明が解決しようとする課題】
【０００４】
しかしながら、従来の技術においては、移動体監視者（例えば移動体の親族や親、教師、学校、幼稚園、塾、飼い主、所有者など、移動体の監視をすべき者のことと定義する）が、移動体の対象（例えば老人、子供、生徒、ペット、自動車など）や個性に応じ、移動体がどのような場合にアラート情報を得たいかといったアラートの条件設定が任意に行えず、また、移動体保護者（例えば警備員や、防犯協会、防犯ボランティア、ペット探偵など、移動体監視者以外のものであって移動体監視者から依頼を受けて移動体監視者の代わりに移動体の保護や監視などを行う者と定義する）の指定が任意に行えず、移動体遠隔監視システムの利用範囲が狭いものであった。
【課題を解決するための手段】
【０００５】
本発明１の移動体遠隔監視システムにおける処理方法は、移動体の携帯する移動体確認機が一定エリアを越えた場合に前記移動体の位置情報等を前記移動体確認機から遠隔位置にある移動体監視者に伝える処理方法であって、前記移動体遠隔監視システムには、固定機と前記移動体確認機と監視サーバーと移動体監視者機と移動体保護者機とを含み、前記固定機には近距離無線発信部を含み、前記移動体確認機には近距離無線受信部とＧＰＳ受信部と移動体通信部と、前記近距離無線受信部と前記ＧＰＳ受信部と前記移動体通信部とを制御する確認機制御部とを含み、前記監視サーバーには対移動体通信部とサーバーインターネット回線ＩＦ（ＩｎｔｅｒＦａｃｅ；以降同様にＩＦと略す）部と、前記対移動体通信部と前記サーバーインターネット回線ＩＦ部とを制御するサーバー制御部とを含み、前記移動体監視者機には監視者機インターネット回線ＩＦ部と監視者機モニター部とユーザーＩＦ部と、前記監視者機インターネット回線ＩＦ部と前記監視者機モニター部と前記ユーザーＩＦ部とを制御する監視者機制御部とを含み、前記移動体保護者機には保護者機インターネット回線ＩＦ部と保護者機モニター部と、前記保護者機インターネット回線ＩＦ部と前記保護者機モニター部とを制御する保護者機制御部とを含み、前記移動体確認機の前記確認機制御部により、１または２以上の前記固定器からの近距離無線を少なくとも１以上前記近距離無線受信部が受信している間は前記ＧＰＳ受信部を停止し所定の間隔で確認情報を前記移動体通信部から発信し、受信していないときには前記ＧＰＳ受信部を起動しＧＰＳ信号を前記移動体通信部から発信することと、前記監視サーバーの前記サーバー制御部により、前記対移動体通信部から前記ＧＰＳ信号を受信して得た移動体位置情報が、予め設定されたアラート基準に基づきアラート状態と判断した場合には、前記移動体位置情報を前記サーバーインターネット回線ＩＦ部から、予め設定された送信対象基準に基づいて前記移動体監視者機または／かつ前記移動体保護者機へ送信することと、前記移動体監視者機の前記監視者機制御部により、送信対象基準に基づいて前記監視者機インターネット回線ＩＦ部より受信した前記移動体位置情報を前記監視者機モニター部に表示することと、前記移動体保護者機の前記保護者機制御部により、前記保護者機インターネット回線ＩＦ部より受信した前記移動体位置情報を前記保護者機モニター部に表示することと、を備えたことを特徴とする。
【０００６】
本発明２の移動体遠隔監視システムにおける処理方法は、本発明１に記載の移動体遠隔監視システムにおける処理方法であって、さらに、前記移動体監視者機の前記監視者機制御部により、前記ユーザーＩＦ部より入力された前記アラート基準と前記送信対象基準を前記監視者機インターネット回線ＩＦ部から前記監視サーバーへ送信し、かつ、前記送信対象基準を前記監視者機制御部に設定することと、前記監視サーバーの前記サーバー制御部により、前記サーバーインターネット回線ＩＦ部より受信した前記アラート基準と前記送信対象基準を前記サーバー制御部に設定することと、を備えたことを特徴とする。
【発明の効果】
【０００７】
このようにした本発明は、移動体の対象（例えば老人、子供、生徒、ペット、自動車など）や個性に応じ、移動体がどのような場合にアラート情報を得たいかといったアラートの条件設定を移動体監視者（例えば移動体の親族や親、教師、学校、幼稚園、塾、飼い主、所有者など）が任意に行え、また、移動体監視者が移動体保護者を例えば複数の警備会社や防犯協会、防犯ボランティア、ペット探偵の中から選択できるなど、移動体保護者の指定も任意に行え、その利用範囲が今までになく広大な移動体遠隔監視システムの処理方法を提供できる。
【０００８】
また、このようにした本発明は、生徒が前記移動体確認機を携帯し前記確認情報を前記監視サーバーが受信して前記移動体監視者機へ送信することで、移動体監視者が教師、学校、幼稚園、塾などの場合の出欠確認システムの処理方法としても提供できる。
【０００９】
さらには、本発明の移動体遠隔監視システム（以降本項において本システムと略す）の処理方法によれば、本システムにおける１つの前記監視サーバーがあれば、様々な移動体を対象とした様々な保護者・保護者団体（例えば複数の警備会社や防犯協会、防犯ボランティア、ペット探偵など）を本システムに取り込め、１つの本システムの監視サーバーにより総合的な移動体遠隔監視システムを構築してビジネス展開できるといったビジネスモデルを提供できる。また、移動体監視者が学校、幼稚園、塾などの場合や移動体保護者が警備員（警備会社）や、防犯協会、防犯ボランティア、ペット探偵などの場合に、これらの移動体監視者は同時に本システムを提供する代理店ともなり得、多くの移動体監視者に利用してもらえる様ビジネス展開できるといったビジネスモデルを提供できる。また、様々な移動体保護者を監視者機モニター部の一画面上に表示して移動体監視者が任意に１または２以上の移動体保護者を選択できるようにできるようにすることで、移動体監視者と移動体保護者のマッチングシステムとなり、スムーズなビジネス展開が可能なビジネスモデルを提供できる。
【図面の簡単な説明】
【００１０】
【図１】第１の実施例における移動体遠隔監視システムの全体構成を示すブロック図。
【図２】第１の実施例における移動体確認機の処理アルゴリズムを示すフローチャート図。
【図３】第１の実施例における監視サーバーの処理アルゴリズムを示すフローチャート。
【図４】第１の実施例における移動体監視者機の処理アルゴリズムを示すフローチャート。
【図５】第１の実施例における移動体保護者機の処理アルゴリズムを示すフローチャート。
【図６】第１の実施例における各基準入力時の移動体監視者機の処理アルゴリズムを示すフローチャート１。
【図７】第１の実施例における各基準入力時の移動体監視者機の処理アルゴリズムを示すフローチャート２。
【図８】第１の実施例における各基準入力時の監視サーバーの処理アルゴリズムを示すフローチャート。
【図９】第２の実施例における監視サーバーの処理アルゴリズムを示すフローチャート。
【図１０】第２の実施例における移動体監視者機の処理アルゴリズムを示すフローチャート。
【図１１】第２の実施例における移動体保護者機の処理アルゴリズムを示すフローチャート。
【図１２】第３の実施例における監視サーバーの処理アルゴリズムを示すフローチャート。
【図１３】第３の実施例における移動体監視者機の処理アルゴリズムを示すフローチャート。
【図１４】第３の実施例における移動体保護者機の処理アルゴリズムを示すフローチャート。
【図１５】第４の実施例における移動体確認機の処理アルゴリズムを示すフローチャート図。
【図１６】第４の実施例における監視サーバーの処理アルゴリズムを示すフローチャート。
【図１７】第４の実施例における移動体監視者機の処理アルゴリズムを示すフローチャート。
【図１８】第４の実施例における移動体保護者機の処理アルゴリズムを示すフローチャート。
【図１９】第４の実施例における各基準入力時の移動体監視者機の処理アルゴリズムを示すフローチャート。
【図２０】第４の実施例における各基準入力時の監視サーバーの処理アルゴリズムを示すフローチャート。
【図２１】第５の実施例における監視者機モニター部の表示の一例を示す図。
【図２２】第５の実施例における監視者機モニター部の表示の他の一例を示す図。
【発明を実施するための形態】
【００１１】
以下、図面を参照して本発明の移動体遠隔監視システムの処理方法の実施例を説明する。
【００１２】
本発明において、移動体とは、有機物の内例えば人（例えば老人や精神障害者・子供・生徒など）やペット（例えば飼い犬や飼い猫）など自らの意思で移動できる動物、および、無機物の内例えば自動車やバイクなど人の制御によって移動が可能な物、および、無機物の内例えば貴重品やスーツケースなど人の手によって移動が可能な物と定義する。近距離無線とは例えばブルートゥース（登録商標）など１メートルから１０メートル程度の到達距離である近距離無線通信の無線と定義する。移動体確認機とは移動体が例えばネックレスやブレスレット・腰ベルトなどにより身に着けてまたは手にもって携帯する通信機器（例えば、タグや専用機・スマートホンなど）と定義する。専用機とは本発明の移動体遠隔監視システムを達成するために作られた通信機器であると定義する。移動体監視者機とは移動体監視者が使える又は見れるものとして保有する通信機器（例えばパーソナルコンピュータやスマートホン・専用機）と定義する。移動体保護者機とは移動体保護者が使える又は見れるものとして保有する通信機器（例えばパーソナルコンピュータやスマートホン・専用機）と定義する。確認情報とは、所定の間隔で移動体確認機から監視サーバーに送信される、移動体が規定エリア内にいることを示す情報であって、例えば移動体確認機の固有情報なども含まれるものと定義する。アラート状態とは、移動体が規定エリア外にいるまたはある状態のことと定義する。アラート基準とは、前記アラート状態であることをＧＰＳ信号から判断するための基準であって、時間的な要素、距離的な要素などを含むものと定義する。送信対象基準とは、移動体位置情報等の送信対象や送信方法、対象機における表示方法などを定める基準と定義する。アブノーマル状態とは、移動体確認機の異常状態であってＧＰＳ信号を得る必要があるときに得られていない状態のことと定義する。アブノーマル基準とは、前記アブノーマル状態であることを確認情報とＧＰＳ信号の受信状態から判断するための基準であると定義する。生体センサーとは、通常の生体センサーに加え、生体が急に倒れたことを示す加速度センサーや、生体に影響を及ぼす外気温（温度）センサーを含むものと定義する。生体情報とは、前記生体センサーにより得られる生体的な情報と定義する。生体アラート状態とは、移動体の生体的危険状態のことと定義する。生体アラート基準とは、前記生体的危険状態であることを移動体確認機の１または２以上の生体情報の値から判断するための基準であると定義する。
【実施例１】
【００１３】
図１は第１の実施例における移動体遠隔監視システムの全体構成を示すブロック図である。
【００１４】
図１において、本発明の移動体遠隔監視システムは、１または２以上の固定機１、移動体確認機２、監視サーバー３、移動体監視者機４、移動体保護者機５から構成される。
さらに、固定機１は近距離無線発信部１１から構成され、移動体確認機２は近距離無線受信部２１とＧＰＳ受信部２２と移動体通信部２３と、近距離無線受信部２１とＧＰＳ受信部２２と移動体通信部２３とを制御する確認機制御部２４から構成され、監視サーバー３は対移動体通信部３１とサーバーインターネット回線ＩＦ部３２と、対移動体通信部３１とサーバーインターネット回線ＩＦ部３２とを制御するサーバー制御部３３から構成され、移動体監視者機４は監視者機インターネット回線ＩＦ部４１と監視者機モニター部４２とユーザーＩＦ部４３と、監視者機インターネット回線ＩＦ部４１と前記監視者機モニター部４２と前記ユーザーＩＦ部４３とを制御する監視者機制御部４４から構成され、移動体保護者機５は保護者機インターネット回線ＩＦ部５１と保護者機モニター部５２と、保護者機インターネット回線ＩＦ部５１と保護者機モニター部５２とを制御する保護者機制御部５３から構成される。
【００１５】
本実施例において、固定器１は移動体の規定エリア（例えば移動体が、人やペットなどの場合には家の敷地内や家の敷地を含めた通常の活動のエリアや教室や学校のエリア、自動車やバイクの場合には駐車場や家の敷地内、貴重品などの場合は家の敷地内やホテルの部屋など）の中心部や規定エリアの周囲に１又は２以上、固定して設置または置いておくものとする。
【００１６】
本実施例において、前記アラート基準および前記送信対象基準は、その全部または一部が監視サーバー３のサーバー制御部３３および移動体監視者機４の監視者機制御部４４に設定されたものであって、各標準値（本発明の移動体遠隔監視システムの提供者の推奨値など）が予め設定されており、何時でも、移動体監視者が任意に、または、本システムの提供者の指導などにより、移動体監視者がユーザーＩＦ部４３から入力して設定できるものとする。
【００１７】
本実施例において、前記アラート基準のパラメータは、アラート基準を時間または／かつ距離とするかを示すアラート基準情報、前記アラート基準情報に時間を含むときのアラート起動時間、前記アラート基準情報に距離を含むときの移動体基準位置とアラート起動距離、からなるものとする。
【００１８】
本実施例において、前記送信対象基準のパラメータは、移動体の対象に応じて選択された移動体保護者が保有する移動体保護者機の固有情報を示す移動体保護者機情報、移動体位置情報等を送信すべき対象（移動体監視者機４または／かつ移動体保護者機５）を示す送信対象情報（この情報において、移動体監視者機を監視者機、移動体保護者機を保護者機と略す。以下同様。）、前記送信対象に監視者機を含むときの移動体監視者機４に移動体位置情報等を送信する手段（例えば電子メールやＳＮＳ（ＳｏｃｉａｌＮｅｔｗｏｒｋｉｎｇＳｅｒｖｉｃｅ）など）を示す監視者機送信方法情報、前記送信対象に監視者機を含むときの移動体位置情報等を監視者機モニター部４２に表示する方法（例えば移動体監視者機４がスリープ状態の場合には音のみ、起動している場合には特定のアプリケーションまたはＳＮＳに付加して）を示す監視者機表示方法情報、からなるものとする。
【００１９】
図２から図８は第１の実施例における移動体遠隔監視システムの処理アルゴリズムを示すフローチャートである。各機２から５（以降各機と略す）は各機とも制御部を有し各機の制御部が各機を制御しているため、各機制御部に個々の処理アルゴリズムを有する。図２は移動体確認機２、図３は監視サーバー３、図４は移動体監視者機４、図５は移動体保護者機５、図６及び図７は各基準入力時の移動体監視者機４、図８は各基準入力時の監視サーバー３、の処理アルゴリズムを示すフローチャート図である。以下に各フローチャートの説明をする。
【００２０】
図２は移動体確認機２における確認機制御部２４の処理アルゴリズムを示すフローチャートである。
【００２１】
移動体確認機２の確認機制御部２４が、１または２以上の固定機１の近距離無線発信部１１から発信される近距離無線を近距離無線受信部２１が１または２以上の固定機１より受信していると確認している間は、ＧＰＳ受信部２２を停止させ、かつ、近距離無線の受信情報を確認情報として確認情報間隔（固定値）の間隔で移動体通信部２３から発信させ、確認機制御部２４が、前記近距離無線を１または２以上の固定機１よりＧＰＳ起動時間（固定値）の間連続して受信していないと判断したときには、ＧＰＳ受信部２２を起動させ、かつ、ＧＰＳ受信部２２のＧＰＳ信号を移動体通信部２３から発信させる。
図３は監視サーバー３におけるサーバー制御部３３の処理アルゴリズムを示すフローチャートである。
【００２２】
ここで移動体保護者機５は、移動体保護者機情報に基づいて複数の移動体保護者機の中から選択された一の移動体保護者機５であるとする。
【００２３】
監視サーバー３のサーバー制御部３３が、対移動体通信部３１によりＧＰＳ信号を受信したと判断したときには、そのＧＰＳ信号を移動体位置情報に変換し、サーバー制御部３３に設定されたアラート基準情報に時間を含むときはサーバー制御部３３に設定されたアラート起動時間の間連続してＧＰＳ信号を受信したと判断した場合、または／かつ、前記アラート基準情報に距離を含むときは前記移動体位置情報がサーバー制御部３３に設定された移動体基準位置からサーバー制御部３３に設定されたアラート起動距離を越えた位置にあると判断した場合に、アラート基準情報に時間も距離も含まない場合は即座に、サーバーインターネット回線ＩＦ部３２よりアラート情報（移動体がアラート状態にあることを示す情報。以下同様。）および前記移動体位置情報を、サーバー制御部３３に設定された送信対象情報に監視者機を含むときはサーバー制御部３３と移動体監視者機４の監視者機制御部４４に設定された監視者機送信方法情報で選択された方法で移動体監視者機４へ送信し、送信対象情報に保護者機を含むときは移動体保護者機５へ送信する。
【００２４】
図４は移動体監視者機４における監視者機制御部４４の処理アルゴリズムを示すフローチャートである。
【００２５】
移動体監視者機４の監視者機制御部４４が、監視者機インターネット回線ＩＦ部４１より、前記監視者機送信方法情報で選択された方法により前記アラート情報および前記移動体位置情報を受信したと判断した場合には、監視者機モニター部４２に監視者制御部４４に設定された監視者機表示方法情報で選択された方法により前記アラート情報および前記移動体位置情報を表示させる。
【００２６】
図５は移動体保護者機５における保護者機制御部５３の処理アルゴリズムを示すフローチャートである。
【００２７】
移動体保護者機５の保護者機制御部５３が、保護者機インターネット回線ＩＦ部５１より前記アラート情報および前記移動体位置情報を受信したと判断した場合には、保護者機モニター部５２に前記アラート情報および前記移動体位置情報を表示させる。
【００２８】
図６及び図７は各基準入力時の移動体監視者機４における監視者機制御部４４の処理アルゴリズムを示すフローチャートである。
【００２９】
移動体監視者機４の監視者機制御部４４が、ユーザーＩＦ部４３から入力された、前記移動体保護者機情報と、前記アラート基準情報と、前記アラート基準情報に基づく前記アラート起動時間または／かつ前記移動体基準位置および前記アラート起動距離と、前記送信対象情報とを、監視者機インターネット回線ＩＦ部４１から監視サーバー３へ送信する（図６）。
【００３０】
また、移動体監視者機４の監視者機制御部４４が、ユーザーＩＦ部４３から入力された、前記視者機送信方法情報と前記監視者機表示方法情報とを監視者機制御部４４に設定し、前記監視者機送信方法情報のみを監視者機インターネット回線ＩＦ部４１から監視サーバー３へ送信する（図７）。
【００３１】
図８は各基準入力時の監視サーバー３におけるサーバー制御部３３の処理アルゴリズムを示すフローチャートである。
【００３２】
監視サーバー３のサーバー制御部３３が、移動体監視者機４から送信された、前記移動体保護者機情報と、前記アラート基準情報と、前記アラート基準情報に基づく前記アラート起動時間または／かつ前記移動体基準位置および前記アラート起動距離と、前記送信対象情報と、前記監視者機送信方法情報とを、サーバーインターネット回線ＩＦ部３２が受信したと判断した場合は、前記移動体保護者機情報と、前記アラート基準情報と、前記アラート基準情報に基づく前記アラート起動時間または／かつ前記移動体基準位置および前記アラート起動距離と、前記送信対象情報と、前記監視者機送信方法情報とを、サーバー制御部３３に設定する。
【００３３】
このような実施例１により、移動体の対象（例えば老人、子供、生徒、ペット、自動車など）や個性に応じ、移動体がどのような場合にアラート情報を得たいかといったアラートの条件設定を移動体監視者（例えば移動体の親族や親、教師、学校、幼稚園、塾、飼い主、所有者など）が任意に行え、また、移動体監視者が移動体保護者を例えば複数の警備会社や防犯協会、防犯ボランティア、ペット探偵の中から選択できるなど、移動体保護者の指定も任意に行え、その利用範囲が今までになく広大な移動体遠隔監視システムの処理方法を提供できる。
【００３４】
また、生徒が移動体確認機２を携帯し前記確認情報を監視サーバー３が受信して移動体監視者機４へ送信することで、移動体監視者が教師、学校、幼稚園、塾などの場合の出欠確認システムの処理方法としても提供できる。
【実施例２】
【００３５】
第２の実施例は、実施例１でサーバー制御部３３の前記送信対象情報に監視者機のみを含む場合、すなわち送信対象が監視者機のみの場合には、さらに移動体監視者の判断で移動体保護者に保護要請を行えるようにした実施例である。例えば、移動体監視者が、移動体の移動体位置情報に基づいて緊急を要すと判断した場合や、移動体監視者が保護できない状況にある場合に有用な実施例である。
【００３６】
図９は監視サーバー３におけるサーバー制御部３３の処理アルゴリズムを示すフローチャートである。
【００３７】
図３の監視サーバー３のサーバー制御部３３が前記アラート情報および前記移動体位置情報を移動体監視者機４へ送信する際、さらに、保護要請問い合せ情報を併せてサーバーインターネット回線ＩＦ部３２より監視者機送信方法情報で選択された方法で移動体監視者機４へ送信する。
【００３８】
図１０は移動体監視者機４における監視者機制御部４４の処理アルゴリズムを示すフローチャートである。
【００３９】
図４においてさらに、移動体監視者機４の監視者機制御部４４が、監視者機インターネット回線ＩＦ部４１が監視者機送信方法情報で選択された方法により保護要請問い合せ情報を併せて受信したと判断した場合には、監視者機モニター部４２に監視者機表示方法情報で選択された方法により保護要請問い合せ情報を併せて表示させ、要請可能時間内（固定値）にユーザーＩＦ部４３から保護要請情報が入力されたと判断した場合に、監視者機インターネット回線ＩＦ部４１から監視サーバー３へ保護要請情報を送信する。
【００４０】
図１１は監視サーバー３におけるサーバー制御部３３の処理アルゴリズムを示すフローチャートである。
【００４１】
監視サーバー３のサーバー制御部３３が、サーバーインターネット回線ＩＦ部が移動体監視者機４からの保護要請情報を受信したと判断した場合は、前記アラート情報および前記移動体位置情報をサーバーインターネット回線ＩＦ部３２から移動体保護者機５へ送信する。
【実施例３】
【００４２】
実施例１においては移動体が規定エリア外にいても移動体確認機２がＧＰＳ信号をキャッチできない場合や移動体確認機２がバッテリー切れなどの場合には移動体位置状態を移動体監視者が知ることができない。
【００４３】
第３の実施例は、実施例１に加えさらに、上記の場合に必要な情報を移動体監視者に提供する方法を示している。
【００４４】
本実施例において、前記アブノーマル基準のパラメータは、前記ＧＰＳ起動時間、ＧＰＳ不受信時間、からなるものとする。前記ＧＰＳ不受信時間とは、前記確認情報を受信していない場合にＧＰＳ信号をも受信していないかを判断するための時間的パラメータである。またアブノーマル情報として、移動体が規定エリア外であってＧＰＳ圏外にいる可能性があるとされるエリア外ＧＰＳ圏外アラート情報、移動体確認機２がバッテリー切れか電源ＯＮＯＦＦスイッチが移動体確認機２にある場合の電源ＯＦＦ状態の可能性があるとされる電源ＯＦＦアラート情報、を移動体監視者機４に提供する。
【００４５】
図１２は監視サーバー３におけるサーバー制御部３３の処理アルゴリズムを示すフローチャートである。
【００４６】
監視サーバー３のサーバー制御部３３が、対移動体通信部３１が前記確認情報を前記ＧＰＳ起動時間の間受信しておらずかつ前記ＧＰＳ信号をＧＰＳ不受信時間（固定値）の間受信していないと判断した場合は、移動体確認機２における移動体通信部２３の電話番号を対移動体通信部３１に発呼させ、移動体通信応答時間内（固定値）に対移動体通信部３１が前記発呼に対する応答を受信したと判断したときにはエリア外ＧＰＳ圏外アラート情報を、前記移動体通信応答時間の間に前記応答を受信していないと判断したときには電源ＯＦＦアラート情報を、サーバーインターネット回線ＩＦ部３２より前記送信対象情報に基づき移動体監視者機４、または／かつ、移動体保護者機５へ送信する。
【００４７】
図１３は移動体監視者機４における監視者機制御部４４の処理アルゴリズムを示すフローチャートである。
【００４８】
移動体監視者機４の監視者機制御部４４が、監視者機インターネット回線ＩＦ部４１が前記エリア外ＧＰＳ圏外アラート情報または電源ＯＦＦアラート情報を受信したと判断した場合には、監視者機モニター部４２に前記エリア外ＧＰＳ圏外アラート情報または電源ＯＦＦアラート情報を表示させる。
【００４９】
図１４は移動体保護者機５における保護者機制御部５３の処理アルゴリズムを示すフローチャートである。
【００５０】
移動体保護者機５の保護者機制御部５３が、保護者機インターネット回線ＩＦ部５１が前記エリア外ＧＰＳ圏外アラート情報または電源ＯＦＦアラート情報を受信したと判断した場合には、保護者機モニター部５２に前記エリア外ＧＰＳ圏外アラート情報または電源ＯＦＦアラート情報を表示させる。
【実施例４】
【００５１】
第４の実施例は、実施例１から実施例３において、さらに移動体の生体情報を監視できる方法を提供するものである。そのために、移動体確認機２には、生体センサーとしての、加速度センサーと温度センサーと脈拍センサーとを含み、各センサーは確認機制御部２４が制御する。
【００５２】
本実施例において、前記生体アラート基準は、監視サーバー３のサーバー制御部３３に設定されたものであって、各標準値（本発明の移動体遠隔監視システムの提供者の推奨値など）が予め設定されており、何時でも、移動体監視者が任意に、または、本システムの提供者の指導などにより、移動体監視者がユーザーＩＦ部４３から入力して設定できるものとする。
【００５３】
本実施例において、前記生体アラート基準のパラメータは、生体アラート基準を加速度または／かつ温度または／かつ脈拍とするかを示す生体アラート基準情報、前記生体アラート基準情報に加速度を含むときの危険加速度、前記生体アラート基準情報に温度を含むときの危険温度、前記生体アラート基準情報に脈拍を含むときの危険脈拍、からなるものとする。
【００５４】
図１５は移動体確認機２における確認機制御部２４の処理アルゴリズムを示すフローチャートである。
【００５５】
移動体確認機２の確認機制御部２４が、加速度センサーからの加速度情報、温度センサーからの温度情報、脈拍センサーからの脈拍情報を、生体情報間隔（固定値）の間隔で移動体通信部２３から発信させる。
【００５６】
図１６は監視サーバー３におけるサーバー制御部３３の処理アルゴリズムを示すフローチャートである。
【００５７】
監視サーバー３のサーバー制御部３３が、対移動体通信部３１により前記加速度情報、前記温度情報、前記脈拍情報を受信したと判断したときには、サーバー制御部３３に設定された生体アラート基準情報に加速度を含むときは前記加速度情報がサーバー制御部３３に設定された前記危険加速度を超えていると判断した場合、前記生体アラート基準情報に温度を含むときは前記温度情報がサーバー制御部３３に設定された前記危険温度を超えていると判断した場合、前記生体アラート基準情報に脈拍を含むときは前記脈拍情報がサーバー制御部３３に設定された前記危険脈拍を超えていると判断した場合に、前記生体アラート情報をサーバーインターネット回線ＩＦ部３２から前記送信対象情報に基づき移動体監視者機４または／かつ移動体保護者機５へ送信する。
【００５８】
図１７は移動体監視者機４における監視者機制御部４４の処理アルゴリズムを示すフローチャートである。
【００５９】
移動体監視者機４の監視者機制御部４４が、監視者機インターネット回線ＩＦ部４１より前記生体アラート情報を受信したと判断した場合には、監視者機モニター部４２に前記生体アラート情報を表示させる。
【００６０】
図１８は移動体保護者機５における保護者機制御部５３の処理アルゴリズムを示すフローチャートである。
【００６１】
移動体保護者機５の保護者機制御部５３が、保護者機インターネット回線ＩＦ部５１より前記生体アラート情報を受信したと判断した場合には、保護者機モニター部５２に前記危険アラート情報を表示させる。
【００６２】
図１９は各基準入力時の移動体監視者機４における監視者機制御部４４の処理アルゴリズムを示すフローチャートである。
【００６３】
移動体監視者機４の監視者機制御部４４が、ユーザーＩＦ部４３から入力された、前記生体アラート基準情報と、前記生体アラート基準情報に基づく前記危険速度、前記危険温度、前記危険脈拍とを、監視者機インターネット回線ＩＦ部４１から監視サーバー３へ送信する。
【００６４】
図２０は各基準入力時の監視サーバー３におけるサーバー制御部３３の処理アルゴリズムを示すフローチャートである。
【００６５】
監視サーバー３のサーバー制御部３３が、移動体監視者機４から送信された、前記生体アラート基準情報と、前記生体アラート基準情報に基づく前記危険速度、前記危険温度、前記危険脈拍とを、サーバー制御部３３に設定する。
【実施例５】
【００６６】
第５の実施例は、実施例１から実施例４の移動体遠隔監視システムの処理方法を利用したビジネスモデルを提供するものである。
【００６７】
図２１は、本実施例における監視者機モニター４２の表示の一例を示す図である。図２１において横方向の矢印はデータの流れ（主に位置情報）を示し、縦のラインはサーバーを示しており、位置情報などは移動体（実際は移動体確認機２）からサーバー（監視サーバ３）を介して移動体監視者（実際は移動体監視者機４）と移動体保護者（実際は移動体保護者機５）に伝送され、様々な移動体（移動体グループ）に対して、様々な移動体監視者（移動体監視者グループ）と様々な移動体保護者（移動体保護者グループ）が監視者機モニターの一画面上に表示されている例を示している。移動体監視者（移動体監視者グループの内の１つ）が、監視を必要としている移動体（移動体グループの内の１つ）と、移動体保護者（移動体保護者グループの内の１または２以上の移動体保護者）を任意に選択できるように表示されていることを示すものである。
【００６８】
図２２は、本実施例における監視者機モニター４２の表示の他の一例を示す図である。図２２において横方向の矢印はデータの流れ（主に確認情報）を示し、縦のラインはサーバーを示しており、確認情報などは移動体（実際は移動体確認機２）からサーバー（監視サーバ３）を介して移動体監視者（実際は移動体監視者機４）に伝送され、移動体監視者が移動体として生徒を選択した場合に、本発明の移動体遠隔監視システム（以降本実施例において本システムと略す）を出欠確認システムとして使用する例を示している。監視者機モニター４２上の２１図が２２図に切り替わる。
【００６９】
本システムの処理方法により、本システムにおける１つの監視サーバーがあれば、様々な移動体（移動体グループ）を対象とした様々な保護者・保護者団体（移動体保護者グループ；例えば複数の警備会社や防犯協会、防犯ボランティア、ペット探偵など）を本システムに取り込め、１つの本システムの監視サーバーにより総合的な移動体遠隔監視システムを構築してビジネス展開できるといった参加によるビジネス展開が可能なビジネスモデルを提供できる（図２１参照）。また、移動体監視者が学校、幼稚園、塾などの場合や移動体保護者が警備員（警備会社）や、防犯協会、防犯ボランティア、ペット探偵などの場合に、これらの移動体監視者は同時に本システムを提供する代理店ともなり得、多くの移動体監視者に利用してもらえる様ビジネス展開できるといった代理店化によるビジネス展開のビジネスモデルを提供できる（図２１参照）。また、移動体監視者（移動体監視者グループの内の１つ）が任意に移動体保護者（移動体保護者グループの内の１または２以上の移動体保護者）を選択できるので、移動体監視者グループと移動体保護者グループ間のマッチングシステムとなり、マッチングによるビジネス展開でスムーズなビジネス展開が可能なビジネスモデルを提供できる（図２１参照）。
【００７０】
さらに本システムの処理方法により、本システムを応用して出欠確認システムに展開するなど、応用的ビジネス展開を容易に行えるビジネスモデルを提供できる（図２１および図２２参照）。
【符号の説明】
【００７１】
１      固定機
１１    近距離無線発信部
２      移動体確認機
２１    近距離無線受信部
２２    ＧＰＳ受信部
２３    移動体通信部
２４    確認機制御部
３      監視サーバー
３１    対移動体通信部
３２    サーバーインターネット回線ＩＦ部
３３    サーバー制御部
４      移動体監視者機
４１    監視者機インターネット回線ＩＦ部
４２    監視者機モニター部
４３    ユーザーＩＦ部
４４    監視者機制御部
５      移動体保護者機
５１    保護者機インターネット回線ＩＦ部
５２    保護者機モニター部
５３    保護者機制御部
【図１】
2019180011.tif 000003
【図２】
2019180011.tif 000004
【図３】
2019180011.tif 000005
【図４】
2019180011.tif 000006
【図５】
2019180011.tif 000007
【図６】
2019180011.tif 000008
【図７】
2019180011.tif 000009
【図８】
2019180011.tif 000010
【図９】
2019180011.tif 000011
【図１０】
2019180011.tif 000012
【図１１】
2019180011.tif 000013
【図１２】
2019180011.tif 000014
【図１３】
2019180011.tif 000015
【図１４】
2019180011.tif 000016
【図１５】
2019180011.tif 000017
【図１６】
2019180011.tif 000018
【図１７】
2019180011.tif 000019
【図１８】
2019180011.tif 000020
【図１９】
2019180011.tif 000021
【図２０】
2019180011.tif 000022
【図２１】
2019180011.tif 000023
【図２２】
2019180011.tif 000024
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
移動体の携帯する移動体確認機が一定エリアを越えた場合に前記移動体の位置情報等を前記移動体確認機から遠隔位置にある移動体監視者に伝える移動体遠隔監視システムにおける処理方法であって、
前記移動体遠隔監視システムには、固定機と前記移動体確認機と監視サーバーと移動体監視者機と移動体保護者機とを含み、前記固定機には近距離無線発信部を含み、前記移動体確認機には近距離無線受信部とＧＰＳ受信部と移動体通信部と、前記近距離無線受信部と前記ＧＰＳ受信部と前記移動体通信部とを制御する確認機制御部とを含み、前記監視サーバーには対移動体通信部とサーバーインターネット回線ＩＦ部と、前記対移動体通信部と前記サーバーインターネット回線ＩＦ部とを制御するサーバー制御部とを含み、前記移動体監視者機には監視者機インターネット回線ＩＦ部と監視者機モニター部とユーザーＩＦ部と、前記監視者機インターネット回線ＩＦ部と前記監視者機モニター部と前記ユーザーＩＦ部とを制御する監視者機制御部とを含み、前記移動体保護者機には保護者機インターネット回線ＩＦ部と保護者機モニター部と、前記保護者機インターネット回線ＩＦ部と前記保護者機モニター部とを制御する保護者機制御部とを含み、
前記移動体確認機の前記確認機制御部により、１または２以上の前記固定器からの近距離無線を少なくとも１以上前記近距離無線受信部が受信している間は前記ＧＰＳ受信部を停止し所定の間隔で確認情報を前記移動体通信部から発信し、受信していないときには前記ＧＰＳ受信部を起動しＧＰＳ信号を前記移動体通信部から発信することと、
前記監視サーバーの前記サーバー制御部により、前記対移動体通信部から前記ＧＰＳ信号を受信して得た移動体位置情報が、予め設定されたアラート基準に基づきアラート状態と判断した場合には、前記移動体位置情報を前記サーバーインターネット回線ＩＦ部から、予め設定された送信対象基準に基づいて前記移動体監視者機または／かつ前記移動体保護者機へ送信することと、
前記移動体監視者機の前記監視者機制御部により、送信対象基準に基づいて前記監視者機インターネット回線ＩＦ部より受信した前記移動体位置情報を前記監視者機モニター部に表示することと、
前記移動体保護者機の前記保護者機制御部により、前記保護者機インターネット回線ＩＦ部より受信した前記移動体位置情報を前記保護者機モニター部に表示することと、
前記移動体監視者機の前記監視者機制御部により、前記ユーザーＩＦ部より入力された前記アラート基準と前記送信対象基準を前記監視者機インターネット回線ＩＦ部から前記監視サーバーへ送信し、かつ、前記送信対象基準を前記監視者機制御部に設定することと、
前記監視サーバーの前記サーバー制御部により、前記サーバーインターネット回線ＩＦ部より受信した前記アラート基準と前記送信対象基準を前記サーバー制御部に設定することと、
前記監視サーバーの前記サーバー制御部により前記移動体位置情報を各機へ送信する際、送信対象が移動体監視者機のみの場合には保護要請の問い合せを併せて行い、所定時間内に前記保護要請の問い合わせに対する応答があった場合には、前記移動体位置情報をサーバーインターネット回線ＩＦ部から前記移動体保護者機へ送信することと、
を備えたことを特徴とする処理方法。
【請求項２】
移動体の携帯する移動体確認機が一定エリアを越えた場合に前記移動体の位置情報等を前記移動体確認機から遠隔位置にある移動体監視者に伝える移動体遠隔監視システムにおける処理方法であって、
前記移動体遠隔監視システムには、固定機と前記移動体確認機と監視サーバーと移動体監視者機と移動体保護者機とを含み、前記固定機には近距離無線発信部を含み、前記移動体確認機には近距離無線受信部とＧＰＳ受信部と移動体通信部と、前記近距離無線受信部と前記ＧＰＳ受信部と前記移動体通信部とを制御する確認機制御部とを含み、前記監視サーバーには対移動体通信部とサーバーインターネット回線ＩＦ部と、前記対移動体通信部と前記サーバーインターネット回線ＩＦ部とを制御するサーバー制御部とを含み、前記移動体監視者機には監視者機インターネット回線ＩＦ部と監視者機モニター部とユーザーＩＦ部と、前記監視者機インターネット回線ＩＦ部と前記監視者機モニター部と前記ユーザーＩＦ部とを制御する監視者機制御部とを含み、前記移動体保護者機には保護者機インターネット回線ＩＦ部と保護者機モニター部と、前記保護者機インターネット回線ＩＦ部と前記保護者機モニター部とを制御する保護者機制御部とを含み、
前記移動体確認機の前記確認機制御部により、１または２以上の前記固定器からの近距離無線を少なくとも１以上前記近距離無線受信部が受信している間は前記ＧＰＳ受信部を停止し所定の間隔で確認情報を前記移動体通信部から発信し、受信していないときには前記ＧＰＳ受信部を起動しＧＰＳ信号を前記移動体通信部から発信することと、
前記監視サーバーの前記サーバー制御部により、前記対移動体通信部から前記ＧＰＳ信号を受信して得た移動体位置情報が、予め設定されたアラート基準に基づきアラート状態と判断した場合には、前記移動体位置情報を前記サーバーインターネット回線ＩＦ部から、予め設定された送信対象基準に基づいて前記移動体監視者機または／かつ前記移動体保護者機へ送信することと、
前記移動体監視者機の前記監視者機制御部により、送信対象基準に基づいて前記監視者機インターネット回線ＩＦ部より受信した前記移動体位置情報を前記監視者機モニター部に表示することと、
前記移動体保護者機の前記保護者機制御部により、前記保護者機インターネット回線ＩＦ部より受信した前記移動体位置情報を前記保護者機モニター部に表示することと、
前記移動体監視者機の前記監視者機制御部により、前記ユーザーＩＦ部より入力された前記アラート基準と前記送信対象基準を前記監視者機インターネット回線ＩＦ部から前記監視サーバーへ送信し、かつ、前記送信対象基準を前記監視者機制御部に設定することと、
前記監視サーバーの前記サーバー制御部により、前記サーバーインターネット回線ＩＦ部より受信した前記アラート基準と前記送信対象基準を前記サーバー制御部に設定することと、
前記監視サーバーの前記サーバー制御部により、前記確認情報と前記ＧＰＳ信号がアブノーマル基準に基づきアブノーマル状態と判断した場合には、前記移動体通信部の電話番号を前記対移動体通信部から発呼し、その後所定時間内に前記対移動体通信部が前記発呼に対する応答を受信したとき／しないときに応じたアブノーマル情報（アリア外ＧＰＳ圏外アラート情報、電源ＯＦＦアラート情報）を、前記サーバーインターネット回線ＩＦ部より前記移動体監視者機、または／かつ、前記移動体保護者機へ送信することと、
前記移動体監視者機の前記監視者機制御部により、前記監視者機インターネット回線ＩＦ部より受信した前記アブノーマル情報を前記監視者機モニター部に表示することと、 前記移動体保護者機の前記保護者機制御部により、前記保護者機インターネット回線ＩＦ部より受信した前記アブノーマル情報を前記保護者機モニター部に表示することと、
を備えたことを特徴とする処理方法。
【請求項３】
請求項１または請求項２に記載の移動体遠隔監視システムにおける処理方法であって、さらに、
前記移動体確認機には前記確認機制御部が制御する、加速度センサーと温度センサーと脈拍センサーとを含み、
前記移動体確認機の前記確認機制御部により、加速度センサーと温度センサーと脈拍センサーからの生体情報を、所定の間隔で前記移動体通信部から発信することと、
前記監視サーバーの前記サーバー制御部により、前記対移動体通信部から受信した前記生体情報が、予め設定された生体アラート基準に基づき生体アラート状態と判断した場合には生体アラート情報を、前記サーバーインターネット回線ＩＦ部から前記移動体監視者機または／かつ前記移動体保護者機へ送信することと、
前記移動体監視者機の前記監視者機制御部により、前記監視者機インターネット回線ＩＦ部より受信した前記生体アラート情報を前記監視者機モニター部に表示することと、 前記移動体保護者機の前記保護者機制御部により、前記保護者機インターネット回線ＩＦ部より受信した前記生体アラート情報を前記保護者機モニター部に表示することと、
前記移動体監視者機の前記監視者機制御部により、前記ユーザーＩＦ部より入力された、前記生体アラート基準を前記監視者機インターネット回線ＩＦ部から前記監視サーバーへ送信することと、
前記監視サーバーの前記サーバー制御部により、前記サーバーインターネット回線ＩＦ部より受信した前記生体アラート基準を前記サーバー制御部に設定することと、
を備えたことを特徴とする処理方法。
【請求項４】
請求項１から請求項３に記載の移動体遠隔監視システムにおける処理方法によるビジネスモデル。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明の移動体遠隔監視システムにおける処理方法は、移動体の携帯する移動体確認機が一定エリアを越えた場合に前記移動体の位置情報等を前記移動体確認機から遠隔位置にある移動体監視者に伝える処理方法であって、前記移動体遠隔監視システムには、固定機と前記移動体確認機と監視サーバーと移動体監視者機と移動体保護者機とを含み、前記固定機には近距離無線発信部を含み、前記移動体確認機には近距離無線受信部とＧＰＳ受信部と移動体通信部と、前記近距離無線受信部と前記ＧＰＳ受信部と前記移動体通信部とを制御する確認機制御部とを含み、前記監視サーバーには対移動体通信部とサーバーインターネット回線ＩＦ部と、前記対移動体通信部と前記サーバーインターネット回線ＩＦ部とを制御するサーバー制御部とを含み、前記移動体監視者機には監視者機インターネット回線ＩＦ部と監視者機モニター部とユーザーＩＦ部と、前記監視者機インターネット回線ＩＦ部と前記監視者機モニター部と前記ユーザーＩＦ部とを制御する監視者機制御部とを含み、前記移動体保護者機には保護者機インターネット回線ＩＦ部と保護者機モニター部と、前記保護者機インターネット回線ＩＦ部と前記保護者機モニター部とを制御する保護者機制御部とを含み、前記移動体確認機の前記確認機制御部により、１または２以上の前記固定器からの近距離無線を少なくとも１以上前記近距離無線受信部が受信している間は前記ＧＰＳ受信部を停止し所定の間隔で確認情報を前記移動体通信部から発信し、受信していないときには前記ＧＰＳ受信部を起動しＧＰＳ信号を前記移動体通信部から発信することと、前記監視サーバーの前記サーバー制御部により、前記対移動体通信部から前記ＧＰＳ信号を受信して得た移動体位置情報が、予め設定されたアラート基準に基づきアラート状態と判断した場合には、前記移動体位置情報を前記サーバーインターネット回線ＩＦ部から、予め設定された送信対象基準に基づいて前記移動体監視者機または／かつ前記移動体保護者機へ送信することと、前記移動体監視者機の前記監視者機制御部により、送信対象基準に基づいて前記監視者機インターネット回線ＩＦ部より受信した前記移動体位置情報を前記監視者機モニター部に表示することと、前記移動体保護者機の前記保護者機制御部により、前記保護者機インターネット回線ＩＦ部より受信した前記移動体位置情報を前記保護者機モニター部に表示することと、前記移動体監視者機の前記監視者機制御部により、前記ユーザーＩＦ部より入力された前記アラート基準と前記送信対象基準を前記監視者機インターネット回線ＩＦ部から前記監視サーバーへ送信し、かつ、前記送信対象基準を前記監視者機制御部に設定することと、前記監視サーバーの前記サーバー制御部により、前記サーバーインターネット回線ＩＦ部より受信した前記アラート基準と前記送信対象基準を前記サーバー制御部に設定することと、を備えたことを特徴とする。